(57)【要約】【課題】  彫刻刀カバーの不用意な脱落を防止する彫刻刀を提供する。【解決手段】  彫刻刀１は、刃３が固定された本体５と、本体５に着脱自在に取り付けられ装着状態で刃３の刃先４を囲う彫刻刀カバー１１とから主に構成されている。本体５には、係合部としての本体５の裏側に形成された凹部７及び外方に突出する突起８が形成されている。彫刻刀カバー１１は、装着状態で刃３の周囲に配置される保護部１２と、保護部１２に回動自在に接続され、保護部１２の装着状態において本体５側に回動させたとき係合部に係合する被係合部としての凹部７に配置される環状部１７及び突起８に係止される穴部１８が形成されているロック部１３とを備える。これによって、使用時に彫刻刀カバー１１が不用意に脱落することを防止し、装着の安定性が向上する。【選択図】  図５
2019055543.tif 000002
【特許請求の範囲】
【請求項１】
刃が固定された本体と、前記本体に着脱自在に取り付けられ装着状態で前記刃の刃先を囲う彫刻刀カバーとを備える彫刻刀であって、
前記本体には、係合部が形成されており、
前記彫刻刀カバーは、装着状態で前記刃の周囲に配置される保護部と、前記保護部に回動自在に接続され、前記保護部の装着状態において前記本体側に回動させたとき前記係合部に係合する被係合部が形成されているロック部とを備える、彫刻刀。
【請求項２】
前記係合部は、前記本体の裏側に形成された凹部を含み、
前記凹部には、外方に突出する突起が形成されており、
前記被係合部は、装着状態で前記凹部に配置される環状部を含み、
前記環状部には、前記突起の少なくとも後方側で抜け止め状態に係止される穴部が形成されている、請求項１記載の彫刻刀。
【請求項３】
前記突起は、その根元の後方側に段差が設けられ、
前記彫刻刀カバーは、前記ロック部を回動させ抜け止め状態に移行する際に撓むことで、前記環状部の少なくとも一部が前記段差に入り込む、請求項２記載の彫刻刀。
【請求項４】
前記本体は、前記刃の根元の周囲において前方に突出する誘導部を備え、
前記保護部は、その後方端部が前記誘導部の周囲を囲うリング状に形成された、請求項１から請求項３のいずれかに記載の彫刻刀。
【請求項５】
前記保護部は、その前方端部が前記刃先の周囲を上方で覆うように形成され、
前記ロック部は、前記保護部の後方端部の裏側において前記保護部との接続箇所を中心に回動自在に接続され、
前記保護部の前記本体への装着状態において、前記ロック部の回動は、前記ロック部が前記本体の延びる方向と平行となる前方平行状態を限度に規制されると共に、前記刃先は、前記前方平行状態のロック部と、前記保護部の前方端部とから画される空間に囲われる、請求項１から請求項４のいずれかに記載の彫刻刀。
【請求項６】
刃が固定された本体と、前記本体に着脱自在に取り付けられ装着状態で前記刃の刃先を囲う彫刻刀カバーとを備える彫刻刀であって、
前記本体は、前記本体の一部を構成すると共に、前記本体に一体となる第１の状態と前記本体から少なくともその一部が離れる第２の状態とに移行自在のロック部を備え、
前記彫刻刀カバーは、前記ロック部が前記第２の状態にあるとき、前記本体に装着され、前記彫刻刀カバーの装着状態において前記ロック部が前記第１の状態にあるとき、前記本体に抜け止め状態に係合する、彫刻刀。
【請求項７】
前記ロック部は、後方側に回動自在に前記本体に接続されている、請求項６記載の彫刻刀。
【発明の詳細な説明】
【技術分野】
【０００１】
この発明は彫刻刀に関し、特に着脱自在の彫刻刀カバーを備える彫刻刀に関するものである。
【背景技術】
【０００２】
従来、刃が固定された本体と、本体に着脱自在に取り付けられ装着状態で刃の刃先を囲う彫刻刀カバーとを備える彫刻刀が存在する。
【０００３】
特許文献１に開示された彫刻刀は、彫刻刀カバーの胴部にほぼ矩形形状の開口が形成されており、装着時には該開口に彫刻刀の刃が挿入されて固定されるものである。
【０００４】
又、特許文献２には、本体及び彫刻刀カバーの係合態様が種々開示されている。例えば、彫刻刀の柄体（本体）には２箇所に亘って係合溝が形成され、刃先カバー（彫刻刀カバー）には係合突起が形成され、これらがそれぞれ係合することで柄体の先端に刃先カバーが着脱可能に装着されるものや、同様に、柄体の台座部に一対のノッチが設けられ、刃先カバーに該ノッチと係合するツメが設けられているものや、柄体の溝部内に係合部が設けられ、刃先カバーの該溝部内に挿入される段差部に該係合部と係合するツメが設けられているものや、柄体の溝部内に貫通孔が設けられ、刃先カバーの段差部に該貫通孔と係合する係止杆のフックが設けられているものや、柄体の溝部内に雌ねじが設けられ、刃先カバーの段差部に該雌ねじと螺合する雄ねじが設けられているものが開示されている。
【先行技術文献】
【特許文献】
【０００５】
【特許文献１】特開２００１−３４７７９４号公報
【特許文献２】特開２００９−８７４号公報
【発明の概要】
【発明が解決しようとする課題】
【０００６】
しかしながら、上述した従来の彫刻刀はいずれも、本体の一部と彫刻刀カバーの一部とが直接的に係合することで装着されるものであり、装着の動作と係合の動作がほぼ同時期・同箇所において行われていた。そのため、係合が不用意に解除され彫刻刀カバーが脱落する虞の防止という点で改善の余地があった。
【０００７】
この発明は、上記のような課題を解決するためになされたもので、彫刻刀カバーの不用意な脱落を防止する彫刻刀を提供することを目的とする。
【課題を解決するための手段】
【０００８】
上記の目的を達成するために、請求項１記載の発明は、刃が固定された本体と、本体に着脱自在に取り付けられ装着状態で刃の刃先を囲う彫刻刀カバーとを備える彫刻刀であって、本体には、係合部が形成されており、彫刻刀カバーは、装着状態で刃の周囲に配置される保護部と、保護部に回動自在に接続され、保護部の装着状態において本体側に回動させたとき係合部に係合する被係合部が形成されているロック部とを備えるものである。
【０００９】
このように構成すると、使用時に彫刻刀カバーが不用意に脱落することを防止する。
【００１０】
請求項２記載の発明は、請求項１記載の発明の構成において、係合部は、本体の裏側に形成された凹部を含み、凹部には、外方に突出する突起が形成されており、被係合部は、装着状態で凹部に配置される環状部を含み、環状部には、突起の少なくとも後方側で抜け止め状態に係止される穴部が形成されているものである。
【００１１】
このように構成すると、彫刻刀カバーが前方に不用意に動くことを防止する。
【００１２】
請求項３記載の発明は、請求項２記載の発明の構成において、突起は、その根元の後方側に段差が設けられ、彫刻刀カバーは、ロック部を回動させ抜け止め状態に移行する際に撓むことで、環状部の少なくとも一部が段差に入り込むものである。
【００１３】
このように構成すると、抜け止め状態におけるロック部の回動が規制される。
【００１４】
請求項４記載の発明は、請求項１から請求項３のいずれかに記載の発明の構成において、本体は、刃の根元の周囲において前方に突出する誘導部を備え、保護部は、その後方端部が誘導部の周囲を囲うリング状に形成されたものである。
【００１５】
このように構成すると、誘導部によって彫刻刀カバーの保護部の装着方向が規制される。
【００１６】
請求項５記載の発明は、請求項１から請求項４のいずれかに記載の発明の構成において、保護部は、その前方端部が刃先の周囲を上方で覆うように形成され、ロック部は、保護部の後方端部の裏側において保護部との接続箇所を中心に回動自在に接続され、保護部の本体への装着状態において、ロック部の回動は、ロック部が本体の延びる方向と平行となる前方平行状態を限度に規制されると共に、刃先は、前方平行状態のロック部と、保護部の前方端部とから画される空間に囲われるものである。
【００１７】
このように構成すると、前方平行状態のロック部と保護部の前方端部とを摘んで取付け及び取外し可能となる。
【００１８】
請求項６記載の発明は、刃が固定された本体と、本体に着脱自在に取り付けられ装着状態で刃の刃先を囲う彫刻刀カバーとを備える彫刻刀であって、本体は、本体の一部を構成すると共に、本体に一体となる第１の状態と本体から少なくともその一部が離れる第２の状態とに移行自在のロック部を備え、彫刻刀カバーは、ロック部が第２の状態にあるとき、本体に装着され、彫刻刀カバーの装着状態においてロック部が第１の状態にあるとき、本体に抜け止め状態に係合するものである。
【００１９】
このように構成すると、使用時に彫刻刀カバーが不用意に脱落することを防止する。又、彫刻刀カバーの装着状態と取外し状態のいずれの状態であっても、使用者の把持した感覚が一定となる。
【００２０】
請求項７記載の発明は、請求項６記載の発明の構成において、ロック部は、後方側に回動自在に本体に接続されているものである。
【００２１】
このように構成すると、ロック部の前方が大きく開く。
【発明の効果】
【００２２】
以上説明したように、請求項１記載の発明は、使用時に彫刻刀カバーが不用意に脱落することを防止するため、装着の安定性が向上する。
【００２３】
請求項２記載の発明は、請求項１記載の発明の効果に加えて、彫刻刀カバーが前方に不用意に動くことを防止するため、装着の安定性がより向上する。
【００２４】
請求項３記載の発明は、請求項２記載の発明の効果に加えて、抜け止め状態におけるロック部の回動が規制されるため、装着の安定性が更に向上する。
【００２５】
請求項４記載の発明は、請求項１から請求項３のいずれかに記載の発明の効果に加えて、誘導部によって彫刻刀カバーの保護部の装着方向が規制されるため、使い勝手が向上する。
【００２６】
請求項５記載の発明は、請求項１から請求項４のいずれかに記載の発明の効果に加えて、前方平行状態のロック部と保護部の前方端部とを摘んで取付け及び取外し可能となるため、取付け及び取外しの際に刃先に不用意に触れることを防止する。
【００２７】
請求項６記載の発明は、使用時に彫刻刀カバーが不用意に脱落することを防止するため、装着の安定性が向上する。又、彫刻刀カバーの装着状態と取外し状態のいずれの状態であっても、使用者の把持した感覚が一定となるため、使い勝手が向上する。
【００２８】
請求項７記載の発明は、請求項６記載の発明の効果に加えて、ロック部の前方が大きく開くため、彫刻刀カバーの装着が容易となる。
【図面の簡単な説明】
【００２９】
【図１】この発明の第１の実施の形態による彫刻刀の彫刻刀カバーの装着状態の外観を示す斜視図である。
【図２】図１で示した彫刻刀の側面図である。
【図３】図１で示した彫刻刀の裏側から見た背面図である。
【図４】図１で示した彫刻刀の刃先側から見た正面図である。
【図５】図４で示したＡ−Ａラインの断面図である。
【図６】図１で示した彫刻刀の彫刻刀カバーを取り外した状態の外観を示す斜視図である。
【図７】図６で示した彫刻刀の、上述した図５に相当する箇所の断面図である。
【図８】図６で示した彫刻刀の、彫刻刀カバーのロック部を装着状態における刃先側まで移行させた状態を示す側面図である。
【図９】この発明の第２の実施の形態による彫刻刀の彫刻刀カバーの装着状態の外観を示す斜視図であって、図１に対応するものである。
【図１０】図９で示した彫刻刀の裏側から見た背面図であって、図３に対応するものである。
【図１１】図９で示した彫刻刀の、上述した図５に相当する箇所の断面図である。
【図１２】図９で示した彫刻刀の彫刻刀カバーを取り外した状態の外観を示す斜視図であって、図６に対応するものである。
【図１３】図１２で示した彫刻刀の、上述した図５に相当する箇所の断面図である。
【発明を実施するための形態】
【００３０】
図１はこの発明の第１の実施の形態による彫刻刀の彫刻刀カバーの装着状態の外観を示す斜視図であり、図２は図１で示した彫刻刀の側面図であり、図３は図１で示した彫刻刀の裏側から見た背面図であり、図４は図１で示した彫刻刀の刃先側から見た正面図であり、図５は図４で示したＡ−Ａラインの断面図である。
【００３１】
尚、これらの図の矢印７１の方向は前方向を示し、矢印７２の方向は後方向を示し、矢印７３の方向は表方向を示し、矢印７４の方向は裏方向を示す。又、表方向から裏方向にかけての方向を上下方向と呼ぶことがある。
【００３２】
これらの図を参照して、彫刻刀１は、刃３がその先端に固定され、使用者が把持する本体５と、これらの図に示す装着状態で刃３の刃先４を囲う彫刻刀カバー１１とから主に構成されている。
【００３３】
本体５は、前後方向に延びる長軸状であって、硬質の合成樹脂からなる。その前方端部６の表側には、彫刻時に使用者が指を添えて力を入れ易いように前方にかけて上方に反った押圧部９が形成されている。
【００３４】
又、図３や図５で示すように、本体５の前方端部６の裏面１０には、凹部７が形成されており、凹部７には外方に突出する突起８が設けられている。突起８の凹部７からの外方への突出距離は、凹部７の本体５の裏面１０における凹み距離と同一であって、即ち突起８は本体５の裏面１０と略面一（同一仮想面上）に位置する。換言すれば、本体５の前方端部６の裏面１０には、突起８に相当する箇所を除いて凹むように凹部７が形成されている。
【００３５】
彫刻刀カバー１１は、硬質の合成樹脂からなり、これらの図に示す装着状態で刃３の周囲に配置される保護部１２と、保護部１２に回動自在に接続され、保護部１２の装着状態において本体５側に回動させたとき、本体５の凹部７の突起８に係合する環状部１７及び穴部１８が形成されているロック部１３とから主に構成されている。これらの図では、ロック部１３が本体５に係合し、彫刻刀カバー１１の抜け止め状態としている。
【００３６】
保護部１２は、平面視において、略Ｕ字形状であって、その前方端部１５が刃３の刃先４の周囲を囲う。又、図２や図５で示すように、前方端部１５は、前方にかけて上方に反っており、刃先４の周囲を上方で覆う（前方端部１５の先端が刃先４よりも上方に位置する）ように形成されている。後方端部１４は後述するように刃３の周囲を周方向に覆うリング状であって、本体５の前方端部６の先端に装着されている。
【００３７】
ロック部１３は、保護部１２の後方端部１４の裏側において、その内部に設けられ本体５の延びる方向と直交する方向に延びる円柱形の連結軸１６を接続箇所として保護部１２と接続されている。
【００３８】
そのため、ロック部１３は、連結軸１６を中心に前後方向に回動自在であり、回動の後方側においては、ロック部１３の環状部１７が本体５の凹部７に配置されると共に、抜け止め状態において突起８と対応する位置に形成された穴部１８が突起８に嵌まり込み係止される。このように穴部１８が突起８の少なくとも後方側で係止されるため、彫刻刀カバー１１が前方に不用意に動くことを防止し、装着の安定性がより向上する。
【００３９】
更に、図５で示すように、突起８は、その根元の後方側において前方に凹むように形成された段差２１が設けられ、彫刻刀カバー１１は、保護部１２の装着状態においてロック部１３を後方に回動させ抜け止め状態に移行する際に撓むことで、環状部１７の穴部１８の周縁後方側から前方に突出するように設けられたツメ部２２が段差２１に入り込む。このようにして、抜け止め状態におけるロック部１３の回動が規制されるため、装着の安定性が更に向上する。
【００４０】
更に、ロック部１３の環状部１７の裏面は、抜け止め状態において、上述した突起８及び本体５の裏面１０と略面一に位置する。このように構成することで、抜け止め状態において、使用者は彫刻刀１の表側では上方に反った押圧部９に指を添え、裏側では平坦な本体５の裏面１０、突起８及び環状部１７をもって把持することができるため力を入れ易く、使用感を向上させている。
【００４１】
このように、彫刻刀１は、保護部１２を本体５の先端に装着して使用時に刃３の刃先４から使用者の指を保護する装着状態に加え、ロック部１３の被係合部（環状部１７の穴部１８）が本体５の係合部（凹部７の突起８）と係合する抜け止め状態とすることができ、使用時に彫刻刀カバー１１が不用意に脱落することを防止するため、装着の安定性が向上したものである。
【００４２】
次に、彫刻刀カバー１１の取外しについて説明する。
【００４３】
図６は図１で示した彫刻刀の彫刻刀カバーを取り外した状態の外観を示す斜視図であり、図７は図６で示した彫刻刀の、上述した図５に相当する箇所の断面図である。
【００４４】
これらの図を参照して、使用者は、彫刻刀カバー１１を彫刻刀１から取り外すときには、本体５の裏側の凹部７のロック部１３に覆われていない露出した部分に指（爪）を掛け、ロック部１３を起こす。これによって上述したロック部１３の環状部１７の穴部１８及びツメ部２２と、本体５の凹部７の突起８及び段差２１との係合が解除され、彫刻刀カバー１１の抜け止め状態が解除される。そして、彫刻刀カバー１１の保護部１２を前方に移動させて装着状態を解除することで、これらの図に示した彫刻刀カバー１１の取外し状態となる。
【００４５】
尚、彫刻刀カバー１１の取外し状態から装着状態に移行する場合には逆の動作を行えば良い。即ち、これらの図に示した取外し状態から、彫刻刀カバー１１の保護部１２を刃３の周囲を囲うように移動させて本体５に装着して装着状態とし、その後、ロック部１３を後方に回動させて上述したように本体５と係合させて、図１〜図５に示した抜け止め状態とすることができる。
【００４６】
ここで、本体５は、刃３の根元の周囲において前方に突出する誘導部２４を備え、保護部１２は、その後方端部１４が誘導部２４の周囲を囲うリング状に形成されている。このように構成することで、誘導部２４によって彫刻刀カバー１１の保護部１２の装着方向が規制されるため、使い勝手が向上する。
【００４７】
次に、図８は図６で示した彫刻刀の、彫刻刀カバーのロック部を装着状態における刃先側まで移行させた状態を示す側面図である。
【００４８】
同図と図２や図５を併せて参照して、保護部１２の本体５への装着状態において、彫刻刀カバー１１のロック部１３の回動は、前方（装着状態における刃先４側）ではロック部１３が本体５の延びる前後方向と平行となる前方平行状態（図８に示す状態）を限度に規制される。上述したように、ロック部１３は、保護部１２の後方端部１４の裏側において保護部１２との接続箇所である連結軸１６を中心に回動自在に接続されたものであるため、前方平行状態のロック部１３は装着状態において刃先４より下方に位置する。
【００４９】
又、上述したように、保護部１２は、その前方端部１５が刃先４の周囲を上方で覆うように形成されている。
【００５０】
したがって、装着状態において、刃先４は、前方平行状態のロック部１３と、保護部１２の前方端部１５とから画される空間に囲われることとなる（図示せず）。
【００５１】
このように構成することで、使用者が矢印２６及び矢印２７で示すように上下方向から、前方平行状態のロック部１３と保護部１２の前方端部１５とを摘んで取付け及び取外し可能となるため、取付け及び取外しの際に刃先４に不用意に触れることを防止する。
【００５２】
次に、図９はこの発明の第２の実施の形態による彫刻刀の彫刻刀カバーの装着状態の外観を示す斜視図であって、図１に対応するものであり、図１０は図９で示した彫刻刀の裏側から見た背面図であって、図３に対応するものであり、図１１は図９で示した彫刻刀の、上述した図５に相当する箇所の断面図である。
【００５３】
尚、第２の実施の形態による彫刻刀３１は、上述した第１の実施の形態による彫刻刀１と基本的に同様の構成であるため、差異点を中心に以下説明する。
【００５４】
これらの図を参照して、彫刻刀３１の本体３５は、その前方端部３６の裏側において本体３５の一部を構成するロック部３３を備える。
【００５５】
ロック部３３は、本体３５と連結軸４６を介して回動自在に接続されており、後述する図１２及び図１３に示すように、前方が大きく開いて本体３５から離れるように構成されている。又、ロック部３３は、穴部３８が形成された環状部３７を含むように構成されており、環状部３７の外縁前方側が延出するようにしてツメ３９が形成されている。
【００５６】
又、彫刻刀カバー４１には、その後方端部４４の裏側から外方（裏方向）に突出する突起４８が形成されている。突起４８は、彫刻刀カバー４１の装着状態において、穴部３８と対応する位置及び形状に構成されている。
【００５７】
そして、これらの図に示される彫刻刀カバー４１の装着状態において、ロック部３３は本体３５に一体となる第１の状態にある。そして、本体３５の裏側において本体３５とロック部３３の裏面とは略面一（同一仮想面上）となっている。
【００５８】
このとき、彫刻刀カバー４１の突起４８が本体３５のロック部３３の穴部３８に嵌まり込むことで、彫刻刀カバー４１は本体３５に抜け止め状態に係合している。
【００５９】
このようにして、第１の実施の形態と同様に、彫刻刀３１の彫刻刀カバー４１は、ロック部３３が第１の状態にあるとき装着状態且つ抜け止め状態とすることができ、本体３５から不用意に脱落することを防止している。
【００６０】
そして、ツメ３９に使用者が指（爪）を掛けてロック部３３を起こす（後方側に回動させる）ことで、ロック部３３は次に説明する第２の状態に移行する。
【００６１】
図１２は図９で示した彫刻刀の彫刻刀カバーを取り外した状態の外観を示す斜視図であって、図６に対応するものであり、図１３は図１２で示した彫刻刀の、上述した図５に相当する箇所の断面図である。
【００６２】
これらの図を参照して、ロック部３３はその後方端部３４において連結軸４６を介して本体３５と接続されており、その他の部分は本体３５から離れる、第２の状態にある。このとき、ロック部３３の環状部３７の穴部３８と彫刻刀カバー４１の突起４８との係合が解除され、これらの図に示すように彫刻刀カバー４１は本体３５から取り外すことが可能となる。
【００６３】
そして、ロック部３３は、彫刻刀カバー４１が本体３５から取り外された状態にあっても、本体３５に一体となる第１の状態に自在に移行することができ、本体３５の裏側において本体３５とロック部３３の裏面とを略面一（同一仮想面上）とすることができる（図示せず）。
【００６４】
そのため、彫刻刀カバー４１の装着状態と取外し状態のいずれの状態であっても、使用者の本体３５を把持した感覚が一定となる。彫刻刀カバー４１は彫刻刀３１の使用に熟練した者であれば取り外して使う場合もあり、このように把持した感覚が一定となるものは使い易く、使い勝手が向上している。
【００６５】
又、ロック部３３は上述したように後方側に回動自在に本体３５に接続されていることから、ロック部３３の前方が大きく開くため、彫刻刀カバー４１の装着が容易となる。
【００６６】
以上説明したように、本発明の各実施の形態の彫刻刀は、本体及び彫刻刀カバーに加えてロック部を備え、ロック部の一部は本体（あるいは彫刻刀カバー）に接続され、他の一部は装着時に彫刻刀カバー（あるいは本体）に係合するものである。このように構成することで、彫刻刀カバーの不用意な脱落を防止し、装着の安定性が向上する。
【００６７】
尚、上記の各実施の形態では、本体、刃、彫刻刀カバー、ロック部等が特定の形状であったが、他の形状であっても良い。例えば、彫刻刀カバーは平面視略Ｕ字形状の先端部が分断されたもの（クワ型）等であっても良い。又、ロック部は複数の部分から構成されるものであっても良い。
【００６８】
又、上記の第１の実施の形態では、係合部が本体の前方端部の裏側に形成されていたが、本体のいずれの箇所に形成されていても良い。尚、被係合部及びこれを含む彫刻刀カバーは、装着状態においてこの係合部と対応する位置及び形状に形成される。
【００６９】
更に、上記の第２の実施の形態では、本体の前方端部の裏側に形成されたロック部に係合部としての穴部が設けられ、彫刻刀カバーの後方端部の裏側に被係合部としての突起が設けられていたが、他の箇所に設けられていても良い。
【００７０】
更に、上記の第１の実施の形態では、穴部は突起と対応した形状であったが、少なくとも後方側で係止されるものであれば良い。
【００７１】
更に、上記の各実施の形態では、係合部は凹部（突起）を含み、被係合部は環状部（穴部）を含むものであったが、他の係合部及び被係合部の態様であっても良く、例えば、溝及び突起、フック及び被フック部、雄ねじ及び雌ねじ、一対の磁石等が挙げられる。
【００７２】
更に、上記の第１の実施の形態では、突起が本体の裏面と面一（同一仮想面上）にあり、穴部が貫通孔形状であって突起と係合する形状であったが、突起が本体の裏面と面一ではなく凹部から裏方向への突出距離が低い態様であったり、穴部が環状部を貫通しておらず突起を覆う形状であったりしても良い。この場合、装着状態において、環状部は背面視で平坦な表面となる。又、第２の実施の形態でも同様に、穴部が突起を覆う形状であっても良い。
【００７３】
更に、上記の第１の実施の形態では、突起の根元に段差が設けられていたが、段差が設けられていなくとも良い。又、突起とツメ部の位置関係が逆となっていても（即ち、穴部の根元に段差が設けられ、突起に段差に入り込むツメ部が形成されていても）実質的に同一である。更に、上記の第２の実施の形態では、突起又は穴部の根元に段差又はツメ部が設けられていなかったが、段差を設けても良い。
【００７４】
更に、上記の各実施の形態では、本体が誘導部を備えていたが、誘導部を備えていなくとも良い。
【００７５】
更に、上記の第１の実施の形態では、装着状態において刃先が、前方平行状態のロック部と保護部の前方端部とから画される空間に囲われていたが、前方平行状態のロック部と保護部の前方端部とを摘んだときに刃先に不用意に触れることを防止できる位置関係にあれば実質的にこのような状態に含まれる。又、この状態を保持することができる構成がより好ましい。尚、刃先が当該空間に囲われるように構成しなくとも本発明は成立する。
【００７６】
更に、上記の第２の実施の形態では、ロック部が後方側に回動自在に本体に接続されていたが、他の接続態様であっても良い。例えば、前方側に回動自在なものや、ロック部全体が本体から離れて装着時に接続される態様のものが挙げられる。
【００７７】
更に、上記の第１の実施の形態では、彫刻刀カバーの抜け止め状態を解除するために、凹部に使用者が指を掛けていたが、例えば連結軸よりも前方の箇所を押圧することでシーソー状にロック部を起こして（回動させて）も良い。
【００７８】
更に、上記の各実施の形態では、本体の裏側の各部が略面一であったが、使用感に支障の無い程度の多少の段差及び凹凸を含んでも良い。
【符号の説明】
【００７９】
１、３１…彫刻刀
３…刃
４…刃先
５、３５…本体
６、３６…前方端部
７…凹部
８、４８…突起
１１、４１…彫刻刀カバー
１２…保護部
１３、３３…ロック部
１４、４４…後方端部
１５…前方端部
１６、４６…連結軸
１７、３７…環状部
１８、３８…穴部
２１…段差
２２…ツメ部
２４…誘導部
３４…後方端部
尚、各図中同一符号は同一又は相当部分を示す。
【図１】
2019055543.tif 000003
【図２】
2019055543.tif 000004
【図３】
2019055543.tif 000005
【図４】
2019055543.tif 000006
【図５】
2019055543.tif 000007
【図６】
2019055543.tif 000008
【図７】
2019055543.tif 000009
【図８】
2019055543.tif 000010
【図９】
2019055543.tif 000011
【図１０】
2019055543.tif 000012
【図１１】
2019055543.tif 000013
【図１２】
2019055543.tif 000014
【図１３】
2019055543.tif 000015
【手続補正書】
【提出日】平成30年4月6日(2018.4.6)
【手続補正１】
【補正対象書類名】明細書
【補正対象項目名】０００８
【補正方法】変更
【補正の内容】
【０００８】
上記の目的を達成するために、請求項１記載の発明は、刃が固定された本体と、本体に着脱自在に取り付けられ装着状態で刃の刃先を囲う彫刻刀カバーとを備える彫刻刀であって、本体には、係合部が形成されており、彫刻刀カバーは、装着状態で刃の周囲に配置される保護部と、保護部に回動自在に接続され、保護部の装着状態において本体側に回動させたとき係合部に係合する被係合部が形成されているロック部とを備え、係合部と被係合部の係合を解除することにより、本体から取り外すことができるものである。
【手続補正２】
【補正対象書類名】明細書
【補正対象項目名】００１８
【補正方法】変更
【補正の内容】
【００１８】
請求項６記載の発明は、刃が固定された本体と、本体に着脱自在に取り付けられ装着状態で刃の刃先を囲う彫刻刀カバーとを備える彫刻刀であって、本体は、本体の一部を構成すると共に、本体に一体となる第１の状態と本体から少なくともその一部が離れる第２の状態とに移行自在のロック部を備え、彫刻刀カバーは、ロック部に係合する被係合部を備え、彫刻刀カバーは、彫刻刀カバーの装着状態においてロック部が第１の状態にあるとき、ロック部が被係合部に係合することにより、本体に抜け止め状態に係合し、ロック部が第２の状態にあるとき、ロック部と被係合部の係合を解除することにより、本体から取り外すことができるものである。
【手続補正３】
【補正対象書類名】特許請求の範囲
【補正対象項目名】全文
【補正方法】変更
【補正の内容】
【特許請求の範囲】
【請求項１】
刃が固定された本体と、前記本体に着脱自在に取り付けられ装着状態で前記刃の刃先を囲う彫刻刀カバーとを備える彫刻刀であって、
前記本体には、係合部が形成されており、
前記彫刻刀カバーは、装着状態で前記刃の周囲に配置される保護部と、前記保護部に回動自在に接続され、前記保護部の装着状態において前記本体側に回動させたとき前記係合部に係合する被係合部が形成されているロック部とを備え、前記係合部と前記被係合部の係合を解除することにより、前記本体から取り外すことができる、彫刻刀。
【請求項２】
前記係合部は、前記本体の裏側に形成された凹部を含み、
前記凹部には、外方に突出する突起が形成されており、
前記被係合部は、装着状態で前記凹部に配置される環状部を含み、
前記環状部には、前記突起の少なくとも後方側で抜け止め状態に係止される穴部が形成されている、請求項１記載の彫刻刀。
【請求項３】
前記突起は、その根元の後方側に段差が設けられ、
前記彫刻刀カバーは、前記ロック部を回動させ抜け止め状態に移行する際に撓むことで、前記環状部の少なくとも一部が前記段差に入り込む、請求項２記載の彫刻刀。
【請求項４】
前記本体は、前記刃の根元の周囲において前方に突出する誘導部を備え、
前記保護部は、その後方端部が前記誘導部の周囲を囲うリング状に形成された、請求項１から請求項３のいずれかに記載の彫刻刀。
【請求項５】
前記保護部は、その前方端部が前記刃先の周囲を上方で覆うように形成され、
前記ロック部は、前記保護部の後方端部の裏側において前記保護部との接続箇所を中心に回動自在に接続され、
前記保護部の前記本体への装着状態において、前記ロック部の回動は、前記ロック部が前記本体の延びる方向と平行となる前方平行状態を限度に規制されると共に、前記刃先は、前記前方平行状態のロック部と、前記保護部の前方端部とから画される空間に囲われる、請求項１から請求項４のいずれかに記載の彫刻刀。
【請求項６】
刃が固定された本体と、前記本体に着脱自在に取り付けられ装着状態で前記刃の刃先を囲う彫刻刀カバーとを備える彫刻刀であって、
前記本体は、前記本体の一部を構成すると共に、前記本体に一体となる第１の状態と前記本体から少なくともその一部が離れる第２の状態とに移行自在のロック部を備え、
前記彫刻刀カバーは、前記ロック部に係合する被係合部を備え、
前記彫刻刀カバーは、前記彫刻刀カバーの装着状態において前記ロック部が前記第１の状態にあるとき、前記ロック部が前記被係合部に係合することにより、前記本体に抜け止め状態に係合し、前記ロック部が前記第２の状態にあるとき、前記ロック部と前記被係合部の係合を解除することにより、前記本体から取り外すことができる、彫刻刀。
【請求項７】
前記ロック部は、後方側に回動自在に前記本体に接続されている、請求項６記載の彫刻刀。